(57)【要約】【課題】フィルタで捕集した糸くずなどの異物を回転ドラムや循環風路へ逸散させることなく風量の低下を少なくして、乾燥効率を維持する。【解決手段】リントを捕集するフィルタ部１３に、循環風路９から乾燥用空気を導入する導入部１４と、導入された乾燥用空気を送風する送風ノズル１６と、リントを捕集するフィルタ１５と、送風ノズル１６から送風された乾燥用空気の送風方向を変える変換部１７と、導入された乾燥用空気を循環風路へ導出する導出部１８を設け、変換部１７は、送風ノズル１６に向かって突出する突出部１９と、突出部１９からフィルタ１５のリントの捕集面に向かって低く傾斜させた傾斜部２０を有し、送風ノズル１６から送風された乾燥用空気の一部を傾斜部２０に当接させて、フィルタ１５のリントの捕集面に沿うように送風するようにしたものである。【選択図】図２
2011167221.tif 000002
【特許請求の範囲】
【請求項１】
筐体内に弾性支持した外槽と、前記外槽内に配設され洗濯物を収容する回転自在な回転ドラムと、前記回転ドラムと連通し洗濯物を乾燥させる空気が流れる循環風路と、前記循環風路に乾燥用空気を送風する送風手段と、前記循環風路を通過するリントを捕集するフィルタ部とを備え、前記フィルタ部は、前記循環風路から乾燥用空気を導入する導入部と、前記導入部から導入された乾燥用空気を送風する先細り状に形成した送風ノズルと、リントを捕集するフィルタと、前記送風ノズルから送風された乾燥用空気の送風方向を変える変換部と、前記導入部から導入された乾燥用空気を前記フィルタを通して前記循環風路へ導出する導出部を有し、前記変換部は、前記送風ノズルに向かって突出する突出部と、前記突出部から前記フィルタのリントの捕集面に向かって低く傾斜させた傾斜部を有し、前記送風ノズルから送風された乾燥用空気の一部を前記傾斜部に当接させて送風方向を変換し、前記フィルタのリントの捕集面に沿うように送風するようにした衣類乾燥機。
【請求項２】
フィルタ部は、変換部の上方に捕集したリントを収容するリント収容部を形成するとともに、送風ノズルの下方に前記リント収容部に向けて乾燥用空気の一部を導くガイド壁を設け、前記送風ノズルからフィルタのリントの捕集面に沿うように送風された乾燥用空気が前記ガイド壁に沿って上昇し、前記送風ノズルの側方を通って前記リント収容部へ導かれるようにした請求項１記載の衣類乾燥機。
【請求項３】
送風ノズルは、乾燥用空気の出口を先細り形状に形成し、変換部に設けた傾斜部を前記送風ノズルの出口に対向して配設した請求項１または２に記載の衣類乾燥機。
【請求項４】
送風ノズルは、乾燥用空気を導入する導入部の導入角より下向きに傾斜させた請求項１〜３のいずれか１項に記載の衣類乾燥機。
【発明の詳細な説明】
【技術分野】
【０００１】
本発明は、回転ドラム内で衣類の乾燥を行う衣類乾燥機に関するものである。
【背景技術】
【０００２】
従来、この種のドラム式衣類乾燥機は、図５に示すような構成が一般的である。筐体１０１内に受筒１０２が設けられ、この受筒１０２内に洗濯物を収容する回転ドラム１０３が設けられている。回転ドラム１０３は受筒１０２の底部に取り付けたモータ１０４によって回転駆動される。回転ドラム１０３内に乾燥用空気を供給する送風ファン１０５を設け、除湿手段１０６および加熱手段１０７を備えた循環風路１０８を通して乾燥用空気を回転ドラム１０３へ循環させて洗濯物の乾燥をおこなう。
【０００３】
除湿手段１０６および加熱手段１０７は、圧縮機と冷媒回路で接続した蒸発器、凝縮器であり、送風ファン１０５により回転ドラム１０３内の乾燥用空気を循環風路１０８に導入し、除湿手段１０６および加熱手段１０７を通して熱交換することにより、除湿後に加熱した乾いた高温空気として回転ドラム１０３へ送風し、洗濯物に当てて乾燥させるようにしている。
【０００４】
循環風路１０８を循環する乾燥用空気には、回転ドラム１０３内の洗濯物から分離した糸くずなどの異物が混入し、これが蒸発器や凝縮器に付着して目詰まりが生じ、また、送風ファン１０５の各部に堆積して、機能が低下するとともに故障の原因になるため、循環風路１０８の途中に糸くずなどの異物を捕集するフィルタ１０９が設けられる。
【０００５】
乾燥運転をおこなうことによってフィルタ１０９に洗濯物から分離した糸くずなどが捕集されて堆積し、循環風路１０８を循環する乾燥用空気の通過抵抗が増大するため、フィルタ１０９に堆積した糸くずなどを取り除くことが考えられている。図５に記載のものは送風ファン１０５を正逆回転可能に設け、送風ファン１０５を逆回転させてフィルタ１０９に付着した異物を吹き飛ばして排除するようにしたものである（例えば、特許文献１参照）。
【先行技術文献】
【特許文献】
【０００６】
【特許文献１】特開２００８−８６４１９号公報
【発明の概要】
【発明が解決しようとする課題】
【０００７】
しかしながら、前記従来の構成では、使用後に送風ファン１０５を逆回転させて循環風路１０８内の空気を上流側へ向けて逆流させ、フィルタ１０９から糸くずなどの異物を吹き飛ばすものであるため、フィルタ１０９から吹き飛ばされた糸くずなどの異物は回転ドラム１０３内へ入る。したがって、回転ドラム１０３内で洗濯物に付着するとともに、送風ファン１０５の回転方向の切替えによって異物が循環風路１０８内を移動するという問題があった。
【０００８】
本発明は、前記従来の課題を解決するもので、フィルタで捕集した糸くずなどの異物を回転ドラムや循環風路へ逸散させることなく風量の低下を少なくして、乾燥効率を維持することを目的とする。
【課題を解決するための手段】
【０００９】
前記従来の課題を解決するために、本発明の衣類乾燥機は、循環風路を通過するリントを捕集するフィルタ部を設け、前記フィルタ部は、前記循環風路から乾燥用空気を導入する導入部と、前記導入部から導入された乾燥用空気を送風する先細り状に形成した送風ノズルと、リントを捕集するフィルタと、前記送風ノズルから送風された乾燥用空気の送風方向を変える変換部と、前記導入部から導入された乾燥用空気を前記フィルタを通して前記循環風路へ導出する導出部を有し、前記変換部は、前記送風ノズルに向かって突出する突出部と、前記突出部から前記フィルタのリントの捕集面に向かって低く傾斜させた傾斜部を有し、前記送風ノズルから送風された乾燥用空気の一部を前記傾斜部に当接させて送風方向を変換し、前記フィルタのリントの捕集面に沿うように送風するようにしたものである。
【００１０】
これによって、捕集した糸くずなどの異物をフィルタから剥離しても、回転ドラムや循環風路へ逸散することなく風量の低下を抑制することができ、衣類などの乾燥効率を維持することができる。
【発明の効果】
【００１１】
本発明の衣類乾燥機は、フィルタで捕集した糸くずなどの異物が回転ドラムや循環風路へ逸散することなく風量の低下を抑制することができ、衣類などの乾燥効率を維持することができる。
【図面の簡単な説明】
【００１２】
【図１】本発明の実施の形態１における衣類乾燥機の機能を備えた洗濯乾燥機の要部断面図
【図２】同洗濯乾燥機のフィルタ部の一部切欠斜視図
【図３】同洗濯乾燥機のフィルタ部の要部断面図
【図４】同洗濯乾燥機のフィルタ部の要部断面図
【図５】従来のドラム式衣類乾燥機の構成図
【発明を実施するための形態】
【００１３】
第１の発明は、筐体内に弾性支持した外槽と、前記外槽内に配設され洗濯物を収容する回転自在な回転ドラムと、前記回転ドラムと連通し洗濯物を乾燥させる空気が流れる循環風路と、前記循環風路に乾燥用空気を送風する送風手段と、前記循環風路を通過するリントを捕集するフィルタ部とを備え、前記フィルタ部は、前記循環風路から乾燥用空気を導入する導入部と、前記導入部から導入された乾燥用空気を送風する先細り状に形成した送風ノズルと、リントを捕集するフィルタと、前記送風ノズルから送風された乾燥用空気の送風方向を変える変換部と、前記導入部から導入された乾燥用空気を前記フィルタを通して前記循環風路へ導出する導出部を有し、前記変換部は、前記送風ノズルに向かって突出する突出部と、前記突出部から前記フィルタのリントの捕集面に向かって低く傾斜させた傾斜部を有し、前記送風ノズルから送風された乾燥用空気の一部を前記傾斜部に当接させて送風方向を変換し、前記フィルタのリントの捕集面に沿うように送風するようにしたことにより、循環風路からフィルタ部に導入される乾燥用空気の一部を、変換部に設けた傾斜部に当接してフィルタのリントの捕集面に沿うように送風方向を変化させることができ、フィルタ部内で、フィルタを通して導出部から循環風路へ導出される乾燥用空気と異なる流れを形成することができる。したがって、フィルタの捕集面にリントが堆積することなくフィルタ部で移動させることができるので、フィルタで捕集したリントなどの異物が回転ドラムや循環風路へ逸散することがなく、回転ドラムへ循環送風する乾燥用空気の風量低下を抑制することができ、衣類などの乾燥効率を維持することができる。
【００１４】
第２の発明は、特に、第１の発明のフィルタ部は、変換部の上方に捕集したリントを収容するリント収容部を形成するとともに、送風ノズルの下方に前記リント収容部に向けて
乾燥用空気の一部を導くガイド壁を設け、前記送風ノズルからフィルタのリントの捕集面に沿うように送風された乾燥用空気が前記ガイド壁に沿って上昇し、前記送風ノズルの側方を通って前記リント収容部へ導かれるようにしたことにより、送風ノズルからフィルタを通して導出部から循環風路へ導出する乾燥用空気の流れの外側で、傾斜部に当接した乾燥用空気を上昇させてリント収容部へ導くことができ、変換部の上方に形成される流れの小さな空気溜まりにリントを集めることができるので、フィルタの捕集面に堆積するリントを少なくすることができる。
【００１５】
第３の発明は、特に、第１または第２の発明の送風ノズルは、乾燥用空気の出口を先細り形状に形成し、変換部に設けた傾斜部を前記送風ノズルの出口に対向して配設したことにより、導入部から導入される乾燥用空気の一部を的確に傾斜部に当接させることができ、フィルタ部内でリントの捕集面に沿った乾燥用空気の流れを形成することができる。
【００１６】
第４の発明は、特に、第１〜第３のいずれか１つの発明の送風ノズルは、乾燥用空気を導入する導入部の導入角より下向きに傾斜させたことにより、フィルタ部内でリントの捕集面に沿った乾燥用空気の流れを効果的に形成することができるとともに、変換部の上方に形成される空気溜まりに所定容量のリント収容部を確保することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における衣類乾燥機の機能を備えた洗濯乾燥機の要部断面図、図２は、同洗濯乾燥機のフィルタ部の一部切欠斜視図、図３は、同洗濯乾燥機のフィルタ部内の乾燥用空気の流れを示す要部断面図、図４は、同フィルタ部内の乾燥用空気の流れを下流側から見た要部断面図である。
【００１９】
図１〜図４において、筐体１の内部には、サスペンション機構２によって外槽３が弾性的に支持され、この外槽３内に有底円筒形に形成された回転ドラム４がその軸心方向を正面側から背面側に向けて下向きに傾斜させて配設されている。外槽３の正面側には回転ドラム４の開口端に通じる衣類出入口５が形成され、筐体１の正面側に形成された上向き傾斜面に設けられた開口部を開閉可能に閉じる扉６が設けている。この扉６を開くことにより、衣類出入口５を通じて回転ドラム４内に対して洗濯物を出し入れすることができる。
【００２０】
回転ドラム４には、その周側面に外槽３内に通じる多数の透孔（図示せず）が形成され、内周面の複数位置に撹拌突起７が設けられている。回転ドラム４は、外槽３の背面側に取り付けられたモータ８によって正転および逆転方向に回転駆動される。また、外槽３には、図示しない注水管路および排水管路が配管接続され、注水弁および排水弁の制御によって外槽３内への注水および排水がなされる。
【００２１】
外槽３の背面の上部と上面の前部には、乾燥用空気を循環させる循環風路９が接続されており、この循環風路９の途中には、外槽３内に乾燥用空気を送風する送風手段１０と、回転ドラム４から循環風路９に入る湿った空気を除湿する除湿手段１１と、この除湿手段１１で除湿した乾いた空気を加熱する加熱手段１２が設けられている。除湿手段１１および加熱手段１２は、圧縮機と冷媒回路で接続した蒸発器、凝縮器で構成する一般的なヒートポンプサイクルが用いられる。回転ドラム４から出た乾燥用空気が除湿手段１１に至るまでの循環風路９にフィルタ部１３が設けられている。
【００２２】
フィルタ部１３は、循環風路９からフィルタ部１３に乾燥用空気を導入する導入部１４と、この導入部１４から導入された乾燥用空気からリントを捕集するフィルタ１５と、導
入部１４から導入された乾燥用空気をフィルタ１５に向けて送風する先細り状に形成した送風ノズル１６と、送風ノズル１６から送風された乾燥用空気の送風方向を変える変換部１７と、導入部１４から導入された乾燥用空気をフィルタ１５を通して循環風路９へ導出する導出部１８が設けられている。
【００２３】
変換部１７は、フィルタ１５のリント捕集面１５ａに上方へ偏った位置に設けてあり、送風ノズル１６に対向して配設している。この変換部１７には、送風ノズル１６の出口に設けた送風口１６ａに向かって突出する突出部１９が設けてあり、突出部１９の尖った先端部は、送風口１６ａの中心位置イより上方に偏った位置ロで対向している。
【００２４】
また、変換部１７には、突出部１９からフィルタ１５のリント捕集面１５ａに向かって低く傾斜させた傾斜部２０が設けてあり、送風ノズル１６の出口に設けた送風口１６ａに対向して配設している。送風ノズル１６の送風口１６ａから送風された乾燥用空気Ａの一部がこの傾斜部２０に当接すると、送風方向が変わりフィルタ１５のリントの捕集面１５ａと沿う方向に流れが変化し、捕集面１５ａに沿って下方へ流れる。送風ノズル１６は、循環風路９からフィルタ部１３内へ乾燥用空気を導入する導入部１４の下流側に設けてあり、導入部１４の導入角より下向きに矢印ハ方向へ傾斜させている。
【００２５】
フィルタ部１３は、変換部１７の上方に捕集したリントＢを収容するリント収容部２１が形成されている。また、送風ノズル１６の下方には、リント収容部２１に向けて乾燥用空気の一部を導くガイド壁２２を設けてあり、送風ノズル１６からフィルタ１５のリントの捕集面１５ａに沿うように下方へ送風された乾燥用空気がガイド壁２２の内面に沿って上昇し、送風ノズル１６の両側の側方を通ってリント収容部２１へ導かれるようにしている。２３はガイド壁２２に設けた第２のフィルタで、乾燥用空気Ａの一部が通過し導出部１８から循環風路９へ流れる。
【００２６】
以上のように構成された洗濯乾燥機において、以下、その動作、作用を説明する。扉６を開いて回転ドラム４内に洗濯物および洗剤を投入して洗濯乾燥機の運転を開始すると、外槽３内には注水管路（図示せず）から所定量の注水がなされ、モータ８により回転ドラム４が正逆回転駆動されて洗濯工程が開始される。回転ドラム４の回転により、回転ドラム４内に収容された洗濯物は回転ドラム４の内周壁に複数設けられた撹拌突起７によって回転方向に持ち上げられ、持ち上げられた適当な高さ位置から落下する撹拌動作が繰り返され、洗濯物に叩き洗いの作用が及んで洗濯がなされる。
【００２７】
所定の洗濯時間の後、汚れた洗濯液は排水管路（図示せず）から排出され、回転ドラム４を高速回転させる脱水動作により洗濯物に含まれた洗濯液を脱水し、その後、外槽３内に注水管路から注水してすすぎ工程が実施される。このすすぎ工程においても洗濯工程と同様に、回転ドラム４内に収容された洗濯物は、回転ドラム４の回転により撹拌突起７により持ち上げられて落下する撹拌動作が繰り返されて、すすぎ洗いが実行される。
【００２８】
このような動作で洗濯およびすすぎがおこなわれるドラム式の洗濯乾燥機には、回転ドラム４内に収容した洗濯物を乾燥する衣類乾燥機の機能が設けられており、外槽３内の空気を除湿および加熱し、乾燥した加熱空気を再び外槽３内に送風する循環風路９が形成されている。
【００２９】
循環風路９の一端に設けた流出部２４が外槽３の背面の上部に接続され、送風手段１０によって乾燥用空気が流出部２４から回転ドラム４内に送風される。循環風路９の他端に設けた流入部２５が外槽３の上面の前部に接続されている。回転ドラム４内に送風された乾燥用空気が回転ドラム４内で撹拌されている洗濯物から水分を奪い、湿った空気となって流入部２５から循環風路９へ流れる。
【００３０】
循環風路９には、流入部２５から流入する乾燥用空気からリントを除去するフィルタ部１３と、このフィルタ部１３を通過した湿った乾燥用空気を除湿する除湿手段１１と、この除湿手段１１で冷却除湿された乾いた低温の乾燥用空気を加熱する加熱手段１２と、この加熱手段１２で加熱された乾いた高温の乾燥用空気を回転ドラム４内に送風する送風手段１０が設けられ、水槽３の上方に配設されている。
【００３１】
送風手段１０により洗濯物を収容した回転ドラム４内に送風された乾燥用空気は、回転ドラム４の周側面に多数形成した透孔（図示せず）を通じて外槽３から循環風路９へ排気される。循環風路９内には、乾燥用空気が流れる上流から下流に向けてフィルタ部１３、除湿手段１１、加熱手段１２、送風手段１０の順に配設されている。
【００３２】
乾燥した高温の空気は、送風手段１０によって外槽３へ送風され、外槽３内に送風された高温の乾燥空気は回転ドラム４内に入り、衣類などの洗濯物に曝されながら外槽３へと抜けて循環風路９に導入される。図１の矢印Ａで示す空気の流れ動作による循環の繰り返しにより乾燥工程が実行される。
【００３３】
循環風路９を利用した乾燥工程では、循環風路９を循環する循環空気中に主として衣類などの洗濯物から発生するリントなどの異物が混じって循環する。循環空気中からリントなどの異物を除去するために、循環風路９の途中、すなわち、除湿手段１１、加熱手段１２、送風手段１０等の上流側にフィルタ部１３を設けて捕集する。
【００３４】
循環風路９から導入部１４を通ってフィルタ部１３に入った乾燥用空気Ａは、先細り状に形成した送風ノズル１６の出口に設けた送風口１６ａから流速を速めてフィルタ１５に向けて送風される。導入部１４の導入角より下向きに矢印ハ方向へ傾斜させた送風ノズル１６の送風口１６ａから、フィルタ１５に向けて送風された乾燥用空気Ａの一部は、フィルタ１５を通過してリントが除去され、導出部１８から循環風路９へと戻る。
【００３５】
また、フィルタ１５に向けて送風された乾燥用空気Ａの一部は、変換部１７に設けた傾斜部２０に衝突してフィルタ１５のリントの捕集面１５ａに沿うように流れる方向が変化する。捕集面１５ａに沿って下方へ流れた乾燥用空気Ａは、送風ノズル１６の両側に形成されたガイド壁２２の内面に沿って上昇し、送風ノズル１６の両側の側方を通ってリント収容部２１へ到達し、再び下方に向かって流れる。
【００３６】
導入部１４を通ってフィルタ部１３に入った乾燥用空気Ａは、フィルタ１５を通過しリントが除去されて導出部１８から循環風路９へ流出される第１の空気流と、変換部１７の傾斜部２０に衝突してフィルタ１５のリントの捕集面１５ａに沿うように下方へ流れる第２の空気流が生成される。
【００３７】
第２の空気流は、フィルタ１５のリントの捕集面１５ａに捕集されたリントを剥がしながらガイド壁２２に沿って上昇し、送風ノズル１６の両側の側方を通ってリント収容部２１にリントＢを集めて第１の空気流とともに循環風路９へ流出する。
【００３８】
したがって、フィルタ部１３内に形成されるフィルタ１５のリントの捕集面１５ａに沿うように流れる第２の空気流によって、リントの捕集面１５ａに捕集されるリントを、フィルタ部１３内で空気溜まりとなるリント収容部２１へリントＢを移動させることができるので、フィルタ１５で捕集したリントなどの異物が回転ドラム４や循環風路９へ逸散することがなく、回転ドラム４へ循環送風する乾燥用空気の風量低下を抑制することができ、衣類などの乾燥効率を維持することができる。
【００３９】
以上のように本発明の衣類乾燥機は、循環風路９を通過する乾燥用空気からリントを捕集するフィルタ部１３を設け、フィルタ部１３は、循環風路９から乾燥用空気を導入する導入部１４と、この導入部１４から導入された乾燥用空気を送風する先細り状に形成した送風ノズル１６と、リントを捕集するフィルタ１５と、送風ノズル１６から送風された乾燥用空気の送風方向を変える変換部１７と、導入部１４から導入された乾燥用空気をフィルタ１５を通して循環風路９へ導出する導出部１８を有し、変換部１７は、送風ノズル１６に向かって突出する突出部１９と、この突出部１９からフィルタ１５のリントの捕集面１５ａに向かって低く傾斜させた傾斜部２０を有し、送風ノズル１６から送風された乾燥用空気の一部を傾斜部２０に当接させて送風方向を変換し、フィルタ１５のリントの捕集面１５ａに沿うように送風するようにしたものである。
【００４０】
これにより、循環風路９からフィルタ部１３に導入される乾燥用空気の一部を、変換部１７に設けた傾斜部２０に当接してフィルタ１５のリントの捕集面１５ａに沿うように送風方向を変化させることができ、フィルタ部１３内で、フィルタ１５を通して導出部１８から循環風路９へ導出される乾燥用空気と異なる流れが形成され、フィルタ１５で捕集したリントを捕集面１５ａから移動させることができる。したがって、フィルタ１５の捕集面１５ａにリントが堆積することなくフィルタ部１３内で移動させることができるので、フィルタ１５で捕集したリントなどの異物が回転ドラム４や循環風路９へ逸散することがなく、回転ドラム４へ循環送風する乾燥用空気の風量低下を抑制することができ、衣類などの乾燥効率を維持することができる。
【００４１】
なお、除湿手段１１および加熱手段１２は、蒸発器、凝縮器の組み合わせとして冷媒を循環させる冷媒回路で接続した圧縮機と共に空気調和機を構成するほか、除湿手段１１は図示しない給水弁からの水の噴霧等により冷却された熱交換板として、水分を含む循環空気と接触して水分を結露させて除湿し、加熱手段１２はヒータとしてもよい。送風手段１０は、シロッコタイプ、または、ターボタイプのファンとしている。
【産業上の利用可能性】
【００４２】
以上のように、本発明にかかる衣類乾燥機は、フィルタで捕集した糸くずなどの異物が回転ドラムや循環風路へ逸散することなく風量の低下を抑制することができ、衣類などの乾燥効率を維持することができるので、衣類乾燥機として有用である。
【符号の説明】
【００４３】
１  筐体
３  外槽
４  回転ドラム
９  循環風路
１０  送風手段
１３  フィルタ部
１４  導入部
１５  フィルタ
１６  送風ノズル
１７  変換部
１８  導出部
１９  突出部
２０  傾斜部
【図１】
2011167221.tif 000003
【図２】
2011167221.tif 000004
【図３】
2011167221.tif 000005
【図４】
2011167221.tif 000006
【図５】
2011167221.tif 000007